(57)【要約】      （修正有）【課題】離れた位置から確実に目視で動作状態が確認できる回転翼の動作確認装置を提供する。【解決手段】回転翼１の吸気・排気口付近に空気導入管４を設け、その先に透明管５を設け、前記透明管内部に球体７を封入し、回転翼１により発生する風により球体を浮動させることにより、離れた位置から確実に回転翼の動作状況を目視にて確認することができる。さらには、球体収納部を設けることにより、回転翼１が停止している場合は球体７が収納されることにより、回転翼１の動作状況をさらに明確に表示させることが出来る。【選択図】図１
0003168260.tif 000002
【実用新案登録請求の範囲】
【請求項１】
回転翼から発生する空気の流れを利用する回転翼の動作確認装置であって、回転翼の空気の吸気口付近および／または排気口付近に空気導入管を設け、空気導入管の先に透明管を有し、この透明管内部に、回転翼からの空気の流れにより浮動可能な球体が封入されていることを特徴とする回転翼の動作確認装置。
【請求項２】
前項記載の透明管の片端に、不透明な材質からなる球体収納部を有することを特徴とする請求項１記載の回転翼の動作確認装置。
【考案の詳細な説明】
【技術分野】
【０００１】
本考案は、高価で複雑な装置を用いることなく、回転翼の吸気・排気口付近に簡単に取り付けることができ、離れた位置から確実に目視で動作状態が確認できる回転翼の動作確認装置に関するものである。
【背景技術】
【０００２】
従来、回転翼の動作確認装置としては、回転駆動状態の検出手段をファン駆動源に取り付け、この検出手段から電気的信号を取り出すことにより動作確認を行う装置（特許文献１）等が知られている。
【０００３】
【特許文献１】実開平５−５９１７４公報
【考案の開示】
【考案が解決しようとする課題】
【０００４】
しかしながら、上述の方法によると検出器、信号処理機、表示器及びそれに伴う配線等の複雑で高価な装置が多数必要で、それらを設置する場所や取付け方法も考えなければならなかった。それに加えて電気的信号を利用することから、化学工場等引火性ガスを取扱う場所ではこれらの装置に対しては本質安全防爆構造が必要となり、装置及び装置取り付けのコストが更に高くなるため、電気的信号を利用することなく、より簡便でかつ安価な装置の開発が望まれていた。
【課題を解決するための手段】
【０００５】
本考案は、上記課題を解決するものであって、回転翼の吸気・排気口付近に空気導入管を設け、その先に透明管を設け、前記透明管内部に球体を封入し、回転翼により発生する風により球体を浮動させること特徴とする回転翼の動作確認装置である。
【考案の効果】
【０００６】
本考案の回転翼の動作確認装置によると、複雑で高価な装置や特別な設置場所を必要とせず、簡易に取り付ける事ができ、なおかつ電気的信号を利用しないため防爆構造も必要とせず、離れた位置から確実に回転翼の動作状況を目視にて確認することができる。
【考案を実施するための最良の形態】
【０００７】
回転翼１の周辺部には、回転翼１が回転することにより発生する風が流れることを可能とするため排気口２、吸気口３を有している。
【０００８】
排気口２、吸気口３については回転翼１が回転することにより発生する風の流れを提供するものであればどのような形状、大きさのものでも良い。
【０００９】
排気口２および／または吸気口３付近に取り付けられる空気導入管４は、回転翼１の回転により発生する風の流れを取り入れることが出来る形状のものであればどのような大きさでもどのような材質のものでも良い。また、その取り付け位置は、前述の風の流れを取り入れることが可能な場所であればどのような場所でも良い。さらに、吸気導入管４の先に透明管５を取り付ける。
【００１０】
透明管５は、球体７の外径より内径、高さ共に大きく、回転翼１が稼動している場合に球体７が外部より視認できることが必要である。透明管５の材質は、アクリル樹脂のようなプラスチック類、ガラス等、透明な材質で構成される。また、球体７が空気導入管４の外へと落下することを防ぐ為に、内部にネット等の落下防止装置を備えることが好ましい。
【００１１】
透明管５の片端に、必要に応じ球体収納部６を取り付けることが可能である。
球体収納部６を取り付けることにより、回転翼が稼動していない場合、球体７が球体収納部６へ収納されることで外部から球体が見えず、回転翼が稼動していないことがよりわかり易くなる。
【００１２】
球体収納部を取り付ける場合、球体収納部６及び透明管５は、本考案の回転翼の動作確認装置を上向きに取り付ける場合、球体収納部６、透明管５の順に取り付け、一方、下向きに取り付ける場合は、透明管５、球体収納部６の順で取り付けられる。
【００１３】
球体収納部６は、球体７の外径より内径、高さ共に大きく、回転翼１が稼動していない場合に、球体７が球体収納部６の内部に隠れる構造とすることが必要である。その材質は、球体７が隠れるように、透明管５と異なる非透明の材質であればどのような材質でも良い。また、球体７が空気導入管４や球体収納部６の外へと落下することを防ぐ為に、内部にネット等の落下防止装置を備えることが好ましい。
【００１４】
球体７は球体収納部６及び透明管５の内径より小さい外径を有し、かつ、回転翼１より発生する風により浮動可能な重さを有する球体である。この条件を満たすのであれば、球体７の材質はどのようなものでも良い。また、透明管５を通して視認できるようにするため、球体７は着色されていることが好ましい。
【００１５】
以上詳述したように本考案の回転翼の動作確認装置を用いる事によって、複雑で高価な装置や特別な設置場所を必要とせず、回転翼の排気口および／または吸気口周辺部に簡単に取り付けることができ、離れた位置から確実に回転翼の動作状態を確認できる。
【図面の簡単な説明】
【００１６】
【図１】本考案の回転翼の動作確認装置の具体的一実施例の正面図である。
【図２】本考案の回転翼の動作確認装置の内、回転翼が稼動していない場合の具体的一実施例の正面図である。
【図３】本考案の回転翼の動作確認装置の内、回転翼が稼動している場合の具体的一実施例の正面図である。
【図４】本考案の回転翼の動作確認装置で、球体収納部を有する具体的一実施例の正面図である。
【図５】本考案の回転翼の動作確認装置で、球体収納部を有する動作確認装置の内、回転翼が稼動していない場合の具体的一実施例の正面図である。
【図６】本考案の回転翼の動作確認装置で、球体収納部を有する動作確認装置の内、回転翼が稼動している場合の具体的一実施例の正面図である。なお、各図中の矢印は空気の流れを示す。
【実施例１】
【００１７】
以下添付図に従って、一実施例を説明する。本考案に係る回転翼の動作確認装置は、例えば、図１に示すとおり、回転翼１の排気口２及び吸気口３に取り付けることにより、回転翼１が稼動すると、それにより発生する風が空気導入管４に伝わり、この風により球体７が透明管５内で浮動することで、回転翼１が稼働していることを確認することができる。
【実施例２】
【００１８】
以下添付図に従って、球体収納部を有する動作確認装置の一実施例を説明する。本考案に係る回転翼の動作確認装置を、例えば、図４に示すとおり、回転翼１の排気口２及び吸気口３に取り付ける。そして、回転翼が稼動していない状態であれば、図５に示すように球体７が球体収納部６に収納され、外部から球体は視認できず、回転翼が稼動していないことを容易に確認できる。そして、
回転翼１が稼動すると、それにより発生する風が空気導入管４に伝わり、図６に示すように、この風により球体７が透明管５内で浮動することで、球体が透明管内に入ることが確認でき、それにより回転翼１が稼働していることを確認することができる。
【符号の説明】
【００１９】
１                    ：回転翼
２                    ：排気口
３                    ：吸気口
４                    ：空気導入管
５                    ：透明管
６                           ：球体収納部
７                    ：球体
【図１】
0003168260.tif 000003
【図２】
0003168260.tif 000004
【図３】
0003168260.tif 000005
【図４】
0003168260.tif 000006
【図５】
0003168260.tif 000007
【図６】
0003168260.tif 000008